(57)【要約】      （修正有）【課題】従来の蛍光灯からＬＥＤ灯管への置き換えがより容易となり、作業量が減少するほか、感電の恐れについても効果的に回避可能となる灯管コネクタユニットを提供する。【解決手段】本発明は、取り外し時に自動電断する灯管コネクタユニット１であって、組付カバー体２と筐体１３を含む。灯管コネクタユニット１はその特徴として、ＬＥＤ灯管の取り外し時にはＬＥＤ灯管に装着されている灯管コネクタユニット１が自動的に電断し、装着時には、灯管を所定の位置に取り付けてリセットスイッチを回動させることで、灯管両端が導通する。【選択図】図２
2019067743.tif 000002
【特許請求の範囲】
【請求項１】
組付カバー体と筐体を含み、前記組付カバー体に、銅ピンがそれぞれ貫設される２つの第１貫通孔、押圧ユニットが貫設される第２貫通孔及び回転接続部が形成されており、前記筐体が前記組付カバー体と係合する取り外し時に自動電断する灯管コネクタユニットにおいて、
リセットスイッチ及びねじり弾性部材を含み、前記リセットスイッチには、前記回転接続部に回転するよう設けられる回転接続部材、導電片がそれぞれ固定される複数の固定部、及び前記押圧ユニットに対し係脱可能な係合部材が設けられ、前記リセットスイッチが自動的にリセット可能となるよう、前記ねじり弾性部材は前記回転接続部と前記回転接続部材の間に取り付けられ、前記ねじり弾性部材が圧力を解放することで、前記リセットスイッチが自動的に元の位置に回復して電断することを特徴とする灯管コネクタユニット。
【請求項２】
各前記導電片は、前記銅ピンと接触する当接面を規定することを特徴とする請求項１記載の取り外し時に自動電断する灯管コネクタユニット。
【請求項３】
前記押圧ユニットは、オンオフ押圧部材、第１弾性部材、第１先端ピン、第２先端ピン及び第２弾性部材を含み、前記オンオフ押圧部材は前記第２貫通孔に突設されるとともに前記第１先端ピンに接続固定され、前記第１弾性部材は前記第１先端ピンに覆設され、前記第２先端ピンは、前記第１先端ピンと前記第１弾性部材が当接する接触面を規定し、且つ前記筐体に装着され、前記第２弾性部材は前記第２先端ピンに覆設されることを特徴とする請求項１記載の取り外し時に自動電断する灯管コネクタユニット。
【請求項４】
前記筐体には、前記第２先端ピンを装着する装着部が形成されることを特徴とする請求項３記載の取り外し時に自動電断する灯管コネクタユニット。
【請求項５】
前記第２先端ピンには、位置規制当止部が延伸していることを特徴とする請求項３記載の取り外し時に自動電断する灯管コネクタユニット。
【請求項６】
前記回転接続部材には、前記係合部材に隣接する位置規制部が延伸しており、前記位置規制部は、前記リセットスイッチの回動を規制するよう前記位置規制当止部に当接可能であることを特徴とする請求項５記載の取り外し時に自動電断する灯管コネクタユニット。
【請求項７】
前記係合部材と前記位置規制部は、同一平面上に位置することを特徴とする請求項６記載の取り外し時に自動電断する灯管コネクタユニット。
【請求項８】
前記組付カバー体には、前記筐体と係合可能な複数のほぞが延伸していることを特徴とする請求項６記載の取り外し時に自動電断する灯管コネクタユニット。
【発明の詳細な説明】
【技術分野】
【０００１】
本発明はＬＥＤ灯管に関し、特に、取り外し時に自動電断する灯管コネクタユニットに関する。
【背景技術】
【０００２】
一般家庭や公共の場では、通常、ある程度の電気使用ニーズが存在する。特に、電気エネルギーを照明器具の発光に供することが最重要事項とされており、家庭やオフィスにおいては照明器具による継続的照明が極めて重要視されている。発光ダイオード（Ｌｉｇｈｔ Ｅｍｉｔｔｉｎｇ Ｄｉｏｄｅ：ＬＥＤ）は体積が小さく、長寿命である。また、故障しにくく省電力にもなるため、近年では蛍光灯や白熱電球に代わって広く照明に応用されている。
【０００３】
従来の発光装置を開示する文献として下記の特許文献１がある。特許文献１に開示の発光装置は、主面を有する支持体と、主面上に配置され、ワイヤパッドを有する給電用コネクタと、支持体の主面に配置された発光素子と、発光素子３１と、ワイヤパッドとを接続するワイヤと備えている。特許文献１に開示の発光装置によれば、部品点数が少なく製造コストを低減することができる発光装置を提供することができる。
【０００４】
従来の発光ダイオード照明装置は機能が単一的であり、日常的な照明機能を備えるにとどまっている。また、正常な供給電源と組み合わせて使用する必要があるため、まずは従来の蛍光灯が徐々に室内照明としてのＬＥＤ灯管に置き換えられている。なお、ＬＥＤ灯管は、これまでの蛍光灯を取り外した後にそのまま置換可能である。
【先行技術文献】
【特許文献】
【０００５】
【特許文献１】特開２０１７−１１７８３１号公報
【発明の概要】
【発明が解決しようとする課題】
【０００６】
しかし、置き換えられたＬＥＤ灯管には自動電断を可能とするような応用設計はなされていない。そのため、取り付け時にＬＥＤ灯管を所定の位置に装着するとすぐさま導通してしまい、感電の恐れがたいへん高い。
【課題を解決するための手段】
【０００７】
本発明のＬＥＤ灯管の灯管コネクタユニットには、取り外し時の自動電断機能が備わっている。そのため、ＬＥＤ灯管の取り外し時にはＬＥＤ灯管に装着されている灯管コネクタユニットが自動的に電断し、装着時には、灯管を所定の位置に取り付けてリセットスイッチを回動させることで、灯管両端が導通を開始する。そのため、従来の蛍光灯からＬＥＤ灯管への置き換えがより容易となり、作業量が減少するほか、感電の恐れについても効果的に回避可能となる。
【０００８】
組付カバー体と筐体を含み、前記組付カバー体に、銅ピンがそれぞれ貫設される２つの第１貫通孔、押圧ユニットが貫設される第２貫通孔及び回転接続部が形成されており、前記筐体が前記組付カバー体と係合する取り外し時に自動電断する灯管コネクタユニットにおいて、リセットスイッチ及びねじり弾性部材を含み、前記リセットスイッチには、前記回転接続部に回転するよう設けられる回転接続部材、導電片がそれぞれ固定される複数の固定部、及び前記押圧ユニットに対し係脱可能な係合部材が設けられ、前記リセットスイッチが自動的にリセット可能となるよう、前記ねじり弾性部材は前記回転接続部と前記回転接続部材の間に取り付けられ、前記ねじり弾性部材が圧力を解放することで、前記リセットスイッチが自動的に元の位置に回復して電断することを特徴とする。
【０００９】
実施形態によっては、前記押圧ユニットは、オンオフ押圧部材、第１弾性部材、第１先端ピン、第２先端ピン及び第２弾性部材を含み、前記オンオフ押圧部材は前記第２貫通孔に突設されるとともに前記第１先端ピンに接続固定され、前記第１弾性部材は前記第１先端ピンに覆設され、前記第２先端ピンは、前記第１先端ピンと前記第１弾性部材が当接する接触面を規定し、且つ前記筐体に装着され、前記第２弾性部材は前記第２先端ピンに覆設される。
【００１０】
実施形態によっては、前記筐体に前記第２先端ピンを装着する装着部が形成される。
【００１１】
実施形態によっては、前記第２先端ピンに位置規制当止部が延伸している。
【００１２】
実施形態によっては、前記回転接続部材には前記係合部材に隣接する位置規制部が延伸しており、前記位置規制部は、前記リセットスイッチの回動を規制するよう前記位置規制当止部に当接可能である。
【００１３】
実施形態によっては、前記係合部材と前記位置規制部は同一平面上に位置する。
【００１４】
実施形態によっては、各前記導電片は前記銅ピンと接触する当接面を規定する。
【００１５】
実施形態によっては、前記組付カバー体に前記筐体と係合可能な複数のほぞが延伸している。
【図面の簡単な説明】
【００１６】
【図１】本発明の灯管コネクタユニットの斜視図である。
【図２】本発明の灯管コネクタユニットの分解斜視図である。
【図３】オンオフ押圧部材を押下する前の内部構造を示す図である。
【図４】リセットスイッチを回動してＬＥＤ灯管を導通させた場合の平面位置を示す図である。
【図５】オンオフ押圧部材の押下時における内部構造を示す図である。
【図６】ＬＥＤ灯管の取り外し時にリセットスイッチがリセットされた場合の平面位置を示す図である。
【発明を実施するための形態】
【００１７】
以下に、実施形態を挙げて本発明の詳細な特徴及び利点につき詳述する。当業者であれば、ここに詳述した内容から本発明の技術を理解し、実施することが可能である。また、本明細書に開示の内容、請求項及び図面から、当業者は本発明にかかる目的及び利点を理解可能である。
【００１８】
以下に、図面を組み合わせて実施例につき詳述する。ただし、これら実施例は異なる形態に含まれてもよく、且つ、これらによって本発明の請求の範囲が限定されると解釈すべきではない。これら実施例は本発明を明瞭簡潔に開示するためのものであり、当業者であれば、これら実施例から本発明の範囲を理解可能である。
【００１９】
図１及び図２は、本発明の灯管コネクタユニットの斜視図及び分解斜視図であり、本発明は、取り外し時に自動電断する灯管コネクタユニットであって、灯管コネクタユニット１が、組付カバー体２、リセットスイッチ７、ねじり弾性部材１２及び筐体１３を含む。
【００２０】
図１及び図２を参照して、組付カバー体２には、銅ピン１６がそれぞれ貫設される２つの第１貫通孔３、押圧ユニット１７が貫設される第２貫通孔４、及び回転接続部５が形成されている。
【００２１】
図１及び図２を参照して、リセットスイッチ７には、回転接続部５に回転するよう設けられる回転接続部材８、導電片２５がそれぞれ装着される複数の固定部１０、及び押圧ユニット１７に対し係脱可能な係合部材１１が設けられる。
【００２２】
図１及び図２を参照して、前記リセットスイッチが自動的にリセット可能となるよう、ねじり弾性部材１２は回転接続部５と回転接続部材８の間に取り付けられる。
【００２３】
図１及び図２を参照して、リセットスイッチ７、ねじり弾性部材１２及び導電片２５が収容される収容空間１５が形成されるよう、筐体１３は組付カバー体２と係合する。
【００２４】
上述した押圧ユニット１７は、オンオフ押圧部材１８、第１弾性部材１９、第１先端ピン２０、第２先端ピン２１及び第２弾性部材２４を含む。オンオフ押圧部材１８は、第２貫通孔４に突設されるとともに、第１先端ピン２０に接続固定される。
【００２５】
第１弾性部材１９は第１先端ピン２０に覆設される。第２先端ピン２１は、第１先端ピン２０と第１弾性部材１９が当接する接触面２２を規定しており、筐体１３に装着される。また、第２弾性部材２４は第２先端ピン２１に覆設される。
【００２６】
第２先端ピン２１は、筐体１３に形成される装着部１４に装着される。また、第２先端ピン２１には位置規制当止部２３が更に延伸している。
【００２７】
回転接続部材８に延伸する位置規制部９は、位置規制当止部２３に当接することでリセットスイッチ７の回動を規制する。
【００２８】
ここで、回転接続部材８上の位置規制部９は係合部材１１と隣接しつつ、同一平面上に位置している。このほか、各導電片２５には銅ピン１６と接触する当接面２６が規定されている。また、組付カバー体２には、筐体１３と係合可能な複数のほぞ６が延伸している。
【００２９】
オンオフ押圧部材を押下する前の内部構造を示す図３、リセットスイッチを回動してＬＥＤ灯管を導通させた場合の平面位置を示す図４、及びオンオフ押圧部材の押下時における内部構造を示す図５を参照する。
【００３０】
ＬＥＤ灯管を取り付ける際には、オンオフ押圧部材１８が内側に押圧されるとともに、オンオフ押圧部材１８と第１弾性部材１９が接触面２２に当接して、第２先端ピン２１及び第２弾性部材２４を筐体１３（矢印方向）に向かって移動させる。
【００３１】
押圧ユニット１７全体の移動当初は、第２先端ピン２１に位置する位置規制当止部２３が回転接続部材８上の位置規制部９に当接している。
【００３２】
しかし、第２先端ピン２１の移動にともなって、位置規制当止部２３と位置規制部９にはズレが生じ、当接が解除されるため、リセットスイッチ７は回動可能な状態となる。
【００３３】
リセットスイッチ７を回動すると、第１先端ピン２０が内側に移動していることから、係合部材１１は第１先端ピン２０に係合する。また、第２弾性部材２４の弾性回復を受けて、接触面２２が係合部材１１に当接する。
【００３４】
係合部材１１が第１先端ピン２０を係止しつつ、各導電片２５の当接面２６が銅ピン１６に接触することで導通効果が奏される。このとき、第１弾性部材１９、第２弾性部材２４及びねじり弾性部材１２では緊縮状態が処理されている。
【００３５】
ＬＥＤ灯管の取り外し時にリセットスイッチがリセットされた場合の平面位置を示す図６を参照する。
【００３６】
ＬＥＤ灯管を取り外す際には、灯管コネクタユニット１のオンオフ押圧部材１８が第１弾性部材１９及び第２弾性部材２４の圧力から解放されることで、オンオフ押圧部材１８が元の位置に回復する。
【００３７】
また、第１先端ピン２０と第２先端ピン２１も元の位置に回復する。且つ、ねじり弾性部材１２が圧力を解放することで、リセットスイッチ７が自動的に元の位置に回復する。
【００３８】
オンオフ押圧部材１８の移動にともなって、係合部材１１が第１先端ピン２０から離脱し、且つ、導電片２５の当接面２６が銅ピン１６から離脱して切断されることで、電断効果が奏される。
【００３９】
また、回転接続部材８上の位置規制部９は、位置規制当止部２３に再び当接することでリセットスイッチ７の回動を規制する。
【００４０】
上記より、従来の蛍光灯からＬＥＤ灯管への交換がより容易となり、作業量が減少するとともに、感電の恐れを効果的に回避可能となる。
【００４１】
上記実施例は、当業者が本発明の内容を十分に理解して実施可能となるよう、本発明の技術思想及び特徴を説明するためのものにすぎず、本発明の請求の範囲を限定する主旨ではない。即ち、本発明が開示する精神に基づき実施される等価の変形又は捕捉もまた、本発明の請求の範囲に含まれる。
【００４２】
本発明の利点、特徴及び達成方法は、例示的な実施例及び図面を参照してより詳細に記載することで更に理解が容易となる。ただし、本発明は別の形式で実現することも可能であり、ここで述べた実施例に限定されると解釈すべきではない。一方で、当業者にとっては、ここで提示した実施例によって本開示はより徹底的且つ全面的なものとなり、且つ、完全に本発明の範囲が伝達される。また、本発明は添付の請求の範囲によってのみ定義される。なお、図中の成分或いは部材のサイズ及び相対的サイズは、理解を容易にするために誇張して表示しており、明細書全体を通じて同一の符号は同一の部材を示している。また、以下の本文中で使用される「及び／又は」との記載は、任意及びあらゆる１又は複数の関連対象物の組み合わせを含むことを意味する。
【００４３】
以上述べたように、本発明は従来技術を超越することで所望の更なる効果を実現している。本発明は当業者によって容易に想起し得ず、進歩性及び実用性を有する。
【符号の説明】
【００４４】
１    灯管コネクタユニット
２    組付カバー体
３    第１貫通孔
４    第２貫通孔
５    回転接続部
６    ほぞ
７    リセットスイッチ
８    回転接続部材
９    位置規制部
１０  固定部
１１  係合部材
１２  ねじり弾性部材
１３  筐体
１４  装着部
１５  収容空間
１６  銅ピン
１７  押圧ユニット
１８  オンオフ押圧部材
１９  第１弾性部材
２０  第１先端ピン
２１  第２先端ピン
２２  接触面
２３  位置規制当止部
２４  第２弾性部材
２５  導電片
２６  当接面
【図１】
2019067743.tif 000003
【図２】
2019067743.tif 000004
【図３】
2019067743.tif 000005
【図４】
2019067743.tif 000006
【図５】
2019067743.tif 000007
【図６】
2019067743.tif 000008
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
組付カバー体と筐体を含み、前記組付カバー体に、銅ピンがそれぞれ貫設される２つの第１貫通孔、押圧ユニットが貫設される第２貫通孔及び回転接続部が形成されており、前記筐体が前記組付カバー体と係合する取り外し時に自動電断する灯管コネクタユニットにおいて、
リセットスイッチ及びねじり弾性部材を含み、前記リセットスイッチには、前記回転接続部に回転するよう設けられる回転接続部材、導電片がそれぞれ固定される複数の固定部、及び前記押圧ユニットに対し係脱可能な係合部材が設けられ、前記リセットスイッチが自動的にリセット可能となるよう、前記ねじり弾性部材は前記回転接続部と前記回転接続部材の間に取り付けられ、前記ねじり弾性部材が圧力を解放することで、前記リセットスイッチが自動的に元の位置に回復して電断し、
前記押圧ユニットは、オンオフ押圧部材、第１弾性部材、第１先端ピン、第２先端ピン及び第２弾性部材を含み、前記オンオフ押圧部材は前記第２貫通孔に突設されるとともに前記第１先端ピンに接続固定され、前記第１弾性部材は前記第１先端ピンに覆設され、前記第２先端ピンは、前記第１先端ピンと前記第１弾性部材が当接する接触面を規定し、且つ前記筐体に装着され、前記第２弾性部材は前記第２先端ピンに覆設されることを特徴とする取り外し時に自動電断する灯管コネクタユニット。
【請求項２】
各前記導電片は、前記銅ピンと接触する当接面を規定することを特徴とする請求項１記載の取り外し時に自動電断する灯管コネクタユニット。
【請求項３】
前記筐体には、前記第２先端ピンを装着する装着部が形成されることを特徴とする請求項１記載の取り外し時に自動電断する灯管コネクタユニット。
【請求項４】
前記第２先端ピンには、位置規制当止部が延伸していることを特徴とする請求項１記載の取り外し時に自動電断する灯管コネクタユニット。
【請求項５】
前記回転接続部材には、前記係合部材に隣接する位置規制部が延伸しており、前記位置規制部は、前記リセットスイッチの回動を規制するよう前記位置規制当止部に当接可能であることを特徴とする請求項４記載の取り外し時に自動電断する灯管コネクタユニット。
【請求項６】
前記係合部材と前記位置規制部は、同一平面上に位置することを特徴とする請求項５記載の取り外し時に自動電断する灯管コネクタユニット。
【請求項７】
前記組付カバー体には、前記筐体と係合可能な複数のほぞが延伸していることを特徴とする請求項５記載の取り外し時に自動電断する灯管コネクタユニット。
【手続補正２】
【補正対象書類名】明細書
【補正対象項目名】０００８
【補正方法】変更
【補正の内容】
【０００８】
組付カバー体と筐体を含み、前記組付カバー体に、銅ピンがそれぞれ貫設される２つの第１貫通孔、押圧ユニットが貫設される第２貫通孔及び回転接続部が形成されており、前記筐体が前記組付カバー体と係合する取り外し時に自動電断する灯管コネクタユニットにおいて、リセットスイッチ及びねじり弾性部材を含み、前記リセットスイッチには、前記回転接続部に回転するよう設けられる回転接続部材、導電片がそれぞれ固定される複数の固定部、及び前記押圧ユニットに対し係脱可能な係合部材が設けられ、前記リセットスイッチが自動的にリセット可能となるよう、前記ねじり弾性部材は前記回転接続部と前記回転接続部材の間に取り付けられ、前記ねじり弾性部材が圧力を解放することで、前記リセットスイッチが自動的に元の位置に回復して電断し、前記押圧ユニットは、オンオフ押圧部材、第１弾性部材、第１先端ピン、第２先端ピン及び第２弾性部材を含み、前記オンオフ押圧部材は前記第２貫通孔に突設されるとともに前記第１先端ピンに接続固定され、前記第１弾性部材は前記第１先端ピンに覆設され、前記第２先端ピンは、前記第１先端ピンと前記第１弾性部材が当接する接触面を規定し、且つ前記筐体に装着され、前記第２弾性部材は前記第２先端ピンに覆設されることを特徴とする。
【手続補正３】
【補正対象書類名】明細書
【補正対象項目名】０００９
【補正方法】削除
【補正の内容】